(57)【要約】【課題】  携帯端末装置で視聴／録画できなかった部分を補完し、一本の番組にして携帯端末内に保持できるようにする。【解決手段】  ユーザがＴＶ番組受信可能な携帯端末にてＴＶ番組を録画すると、連動して自動的に家庭内の録画機器が録画を行う。放送電波が届かない状態などで携帯端末でＴＶ番組の録画ができなかった場合、その視聴／録画できなかった部分のタイムテーブル情報を携帯端末内に保持する。家庭内の録画機器は、そのタイムテーブル情報を基に、携帯端末で視聴／録画できなかった部分の映像データの該当部分を録画データの中から切り出して携帯端末へ転送し結合することにより補完し、一本の番組にして携帯端末内に保持させる。【選択図】  図１
2006352253.tif 000002
【特許請求の範囲】
【請求項１】
ＴＶ番組を受信可能な携帯端末装置と、該携帯端末装置と通信を行う録画装置と、を有し、
前記携帯端末装置の録画処理に連動して前記録画装置が録画処理を行い、該携帯端末装置の録画データと、該録画装置の録画データとを結合させることを特徴とする録画データ補完システム。
【請求項２】
前記携帯端末装置は、該携帯端末装置にて所定のＴＶ番組の録画処理が開始された場合、該ＴＶ番組についての詳細を示す番組データを記憶するとともに、該番組データを前記録画装置へ送信し、
前記録画装置は、前記携帯端末装置から前記番組データを受信し、該番組データに基づいて録画処理を開始することを特徴とする請求項１記載の録画データ補完システム。
【請求項３】
前記携帯端末装置は、該携帯端末装置の録画処理中に前記ＴＶ番組の受信が不可能になった場合、該ＴＶ番組の受信が不可能になった場合の詳細を示す中断データを記憶することを特徴とする請求項２記載の録画データ補完システム。
【請求項４】
前記録画装置は、前記携帯端末装置から受信した前記番組データ及び前記中断データに基づいて、該録画装置の録画データの中から前記携帯端末装置で録画できなかった部分に該当する映像データを切り出して前記携帯端末装置へ転送し、
前記携帯端末装置は、前記録画装置から転送された前記映像データを用いて、該携帯端末装置の録画データを補完することを特徴とする請求項３記載の録画データ補完システム。
【請求項５】
前記携帯端末装置は、該携帯端末装置の録画処理中に前記ＴＶ番組の受信が不可能になった場合、該携帯端末装置の録画処理を一時停止することを特徴とする請求項１から４のいずれか１項に記載の録画データ補完システム。
【請求項６】
前記携帯端末装置は、前記ＴＶ番組の受信が再び可能となった場合、該受信が再開した時間を記憶し、かつ、該再開した時間と一時停止した時間とを基に中断時間を算出して記憶した後、前記録画処理を再開することを特徴とする請求項５記載の録画データ補完システム。
【請求項７】
前記携帯端末装置は、所定のＴＶ番組が一定時間視聴された場合、前記番組データを前記録画装置へ送信することを特徴とする請求項２から６のいずれか１項に記載の録画データ補完システム。
【請求項８】
前記携帯端末装置は、所定のＴＶ番組が一定時間視聴された場合、前記携帯端末装置での録画処理を自動的に開始することを特徴とする請求項７記載の録画データ補完システム。
【請求項９】
前記携帯端末装置と前記録画装置との通信を管理するサーバ装置を有することを特徴とする請求項１から８のいずれか１項に記載の録画データ補完システム。
【請求項１０】
請求項１から９のいずれか１項に記載の録画データ補完システムで用いられることを特徴とする携帯端末装置。
【請求項１１】
請求項１から９のいずれか１項に記載の録画データ補完システムで用いられることを特徴とする録画装置。
【請求項１２】
請求項１から９のいずれか１項に記載の録画データ補完システムで用いられ、携帯端末装置と録画装置との通信を管理することを特徴とするサーバ装置。
【請求項１３】
ＴＶ番組を受信可能な携帯端末装置と、該携帯端末装置と通信を行う録画装置と、を用いて行う録画データ補完方法であって、
前記携帯端末装置の録画処理に連動して前記録画装置が録画処理を行い、該携帯端末装置の録画データと、該録画装置の録画データとを結合させることを特徴とする録画データ補完方法。
【請求項１４】
前記携帯端末装置は、該携帯端末装置にて所定のＴＶ番組の録画処理が開始された場合、該ＴＶ番組についての詳細を示す番組データを記憶するとともに、該番組データを前記録画装置へ送信し、
前記録画装置は、前記携帯端末装置から前記番組データを受信し、該番組データに基づいて録画処理を開始することを特徴とする請求項１３記載の録画データ補完方法。
【請求項１５】
前記携帯端末装置は、該携帯端末装置の録画処理中に前記ＴＶ番組の受信が不可能になった場合、該ＴＶ番組の受信が不可能になった場合の詳細を示す中断データを記憶することを特徴とする請求項１４記載の録画データ補完方法。
【請求項１６】
前記録画装置は、前記携帯端末装置から受信した前記番組データ及び前記中断データに基づいて、該録画装置の録画データの中から前記携帯端末装置で録画できなかった部分に該当する映像データを切り出して前記携帯端末装置へ転送し、
前記携帯端末装置は、前記録画装置から転送された前記映像データを用いて、該携帯端末装置の録画データを補完することを特徴とする請求項１５記載の録画データ補完方法。
【請求項１７】
前記携帯端末装置は、該携帯端末装置の録画処理中に前記ＴＶ番組の受信が不可能になった場合、該携帯端末装置の録画処理を一時停止することを特徴とする請求項１３から１６のいずれか１項に記載の録画データ補完方法。
【請求項１８】
前記携帯端末装置は、前記ＴＶ番組の受信が再び可能となった場合、該受信が再開した時間を記憶し、かつ、該再開した時間と一時停止した時間とを基に中断時間を算出して記憶した後、前記録画処理を再開することを特徴とする請求項１７記載の録画データ補完方法。
【請求項１９】
前記携帯端末装置は、所定のＴＶ番組が一定時間視聴された場合、前記番組データを前記録画装置へ送信することを特徴とする請求項１４から１８のいずれか１項に記載の録画データ補完方法。
【請求項２０】
前記携帯端末装置は、所定のＴＶ番組が一定時間視聴された場合、前記携帯端末装置での録画処理を自動的に開始することを特徴とする請求項１９記載の録画データ補完方法。
【請求項２１】
前記携帯端末装置と前記録画装置との通信を管理するサーバ装置を用いることを特徴とする請求項１３から２０のいずれか１項に記載の録画データ補完方法。
【請求項２２】
ＴＶ番組を受信可能な携帯端末装置と、該携帯端末装置と通信を行う録画装置と、を用いて録画データの補完を行うためのプログラムであって、
前記携帯端末装置及び前記録画装置に、
前記携帯端末装置の録画処理と前記録画装置の録画処理とを連動させる処理と、
該携帯端末装置の録画データと、該録画装置の録画データとを結合させる処理と、
を実行させるプログラム。
【請求項２３】
前記携帯端末装置に、
該携帯端末装置にて所定のＴＶ番組の録画処理が開始された場合、該ＴＶ番組についての詳細を示す番組データを記憶する処理と、
該番組データを前記録画装置へ送信する処理と、を実行させ、
前記録画装置に、
前記携帯端末装置から前記番組データを受信する処理と、
該番組データに基づいた録画処理と、
を実行させる請求項２２記載のプログラム。
【請求項２４】
前記携帯端末装置に、
該携帯端末装置の録画処理中に前記ＴＶ番組の受信が不可能になった場合、該ＴＶ番組の受信が不可能になった場合の詳細を示す中断データを記憶する処理を実行させる請求項２３記載のプログラム。
【請求項２５】
前記録画装置に、
前記携帯端末装置から受信した前記番組データ及び前記中断データに基づいて、該録画装置の録画データの中から前記携帯端末装置で録画できなかった部分に該当する映像データを切り出して前記携帯端末装置へ転送する処理と、
前記携帯端末装置に、
前記録画装置から転送された前記映像データを用いて、該携帯端末装置の録画データを補完する処理と、
を実行させる請求項２４記載のプログラム。
【請求項２６】
前記携帯端末装置に、
該携帯端末装置の録画処理中に前記ＴＶ番組の受信が不可能になった場合、該携帯端末装置の録画処理を一時停止する処理を実行させる請求項２２から２５のいずれか１項に記載のプログラム。
【請求項２７】
前記携帯端末装置に、
前記ＴＶ番組の受信が再び可能となった場合、
該受信が再開した時間を記憶する処理と、
該再開した時間と一時停止した時間とを基に中断時間を算出して記憶する処理と、
前記録画処理を再開する処理と、
を実行させる請求項２６記載のプログラム。
【請求項２８】
前記携帯端末装置に、
所定のＴＶ番組が一定時間視聴された場合、前記番組データを前記録画装置へ送信する処理を実行させる請求項２３から２７のいずれか１項に記載のプログラム。
【発明の詳細な説明】
【技術分野】
【０００１】
本発明は、テレビ番組等の動画を視聴／録画可能な携帯端末装置の録画データを補完する録画データ補完システム、携帯端末装置、録画装置、サーバ装置、録画データ補完方法及びプログラムに関する。
【背景技術】
【０００２】
従来技術例として、ＴＶ番組の録画機能の動作を妨げるイベントの発生を予測し、家庭内の録画機器に通知し、その録画機器に録画させるものが開示されている（例えば、特許文献１参照）。
【特許文献１】特開２００４−０２３１１１号公報
【発明の開示】
【発明が解決しようとする課題】
【０００３】
しかし、従来技術では、携帯端末装置で視聴／録画できなかった部分を補完し、一本の番組にして携帯端末内に保持するものはなかった。
また、従来技術では、ユーザが携帯端末を用いて、家庭内などで録画した番組を視聴する場合、端末に番組のデータを丸ごと保存する必要があり、データ格納に時間がかかってしまうという問題もあった。
【０００４】
本発明は、上記事情に鑑みてなされたものであり、携帯端末装置で視聴／録画できなかった部分を補完し、一本の番組にして携帯端末内に保持できる、録画データ補完システム、携帯端末装置、録画装置、サーバ装置、録画データ補完方法及びプログラムを提供することを目的とする。
【課題を解決するための手段】
【０００５】
かかる目的を達成するために、請求項１記載の発明は、ＴＶ番組を受信可能な携帯端末装置と、携帯端末装置と通信を行う録画装置と、を有し、携帯端末装置の録画処理に連動して録画装置が録画処理を行い、携帯端末装置の録画データと、録画装置の録画データとを結合させることを特徴とする。
【０００６】
請求項２記載の発明は、請求項１記載の発明において、携帯端末装置は、携帯端末装置にて所定のＴＶ番組の録画処理が開始された場合、ＴＶ番組についての詳細を示す番組データを記憶するとともに、番組データを録画装置へ送信し、録画装置は、携帯端末装置から番組データを受信し、番組データに基づいて録画処理を開始することを特徴とする。
【０００７】
請求項３記載の発明は、請求項２記載の発明において、携帯端末装置は、携帯端末装置の録画処理中にＴＶ番組の受信が不可能になった場合、ＴＶ番組の受信が不可能になった場合の詳細を示す中断データを記憶することを特徴とする。
【０００８】
請求項４記載の発明は、請求項３記載の発明において、録画装置は、携帯端末装置から受信した番組データ及び中断データに基づいて、録画装置の録画データの中から携帯端末装置で録画できなかった部分に当する映像データを切り出して携帯端末装置へ転送し、携帯端末装置は、録画装置から転送された映像データを用いて、携帯端末装置の録画データを補完することを特徴とする。
【０００９】
請求項５記載の発明は、請求項１から４のいずれか１項に記載の発明において、携帯端末装置は、携帯端末装置の録画処理中にＴＶ番組の受信が不可能になった場合、携帯端末装置の録画処理を一時停止することを特徴とする。
【００１０】
請求項６記載の発明は、請求項５記載の発明において、携帯端末装置は、ＴＶ番組の受信が再び可能となった場合、受信が再開した時間を記憶し、かつ、再開した時間と一時停止した時間とを基に中断時間を算出して記憶した後、録画処理を再開することを特徴とする。
【００１１】
請求項７記載の発明は、請求項２から６のいずれか１項に記載の発明において、携帯端末装置は、所定のＴＶ番組が一定時間視聴された場合、番組データを録画装置へ送信することを特徴とする。
【００１２】
請求項８記載の発明は、請求項７記載の発明において、携帯端末装置は、所定のＴＶ番組が一定時間視聴された場合、携帯端末装置での録画処理を自動的に開始することを特徴とする。
【００１３】
請求項９記載の発明は、請求項１から８のいずれか１項に記載の発明において、携帯端末装置と録画装置との通信を管理するサーバ装置を有することを特徴とする。
【００１４】
請求項１０記載の発明は、請求項１から９のいずれか１項に記載の録画データ補完システムで用いられることを特徴とする。
【００１５】
請求項１１記載の発明は、請求項１から９のいずれか１項に記載の録画データ補完システムで用いられることを特徴とする。
【００１６】
請求項１２記載の発明は、請求項１から９のいずれか１項に記載の録画データ補完システムで用いられ、携帯端末装置と録画装置との通信を管理することを特徴とする。
【００１７】
請求項１３記載の発明は、ＴＶ番組を受信可能な携帯端末装置と、携帯端末装置と通信を行う録画装置と、を用いて行う録画データ補完方法であって、携帯端末装置の録画処理に連動して録画装置が録画処理を行い、携帯端末装置の録画データと、録画装置の録画データとを結合させることを特徴とする。
【００１８】
請求項１４記載の発明は、請求項１３記載の発明において、携帯端末装置は、携帯端末装置にて所定のＴＶ番組の録画処理が開始された場合、ＴＶ番組についての詳細を示す番組データを記憶するとともに、番組データを録画装置へ送信し、録画装置は、携帯端末装置から番組データを受信し、番組データに基づいて録画処理を開始することを特徴とする。
【００１９】
請求項１５記載の発明は、請求項１４記載の発明において、携帯端末装置は、携帯端末装置の録画処理中にＴＶ番組の受信が不可能になった場合、ＴＶ番組の受信が不可能になった場合の詳細を示す中断データを記憶することを特徴とする。
【００２０】
請求項１６記載の発明は、請求項１５記載の発明において、録画装置は、携帯端末装置から受信した番組データ及び中断データに基づいて、録画装置の録画データの中から携帯端末装置で録画できなかった部分に当する映像データを切り出して携帯端末装置へ転送し、携帯端末装置は、録画装置から転送された映像データを用いて、携帯端末装置の録画データを補完することを特徴とする。
【００２１】
請求項１７記載の発明は、請求項１３から１６のいずれか１項に記載の発明において、携帯端末装置は、携帯端末装置の録画処理中にＴＶ番組の受信が不可能になった場合、携帯端末装置の録画処理を一時停止することを特徴とする。
【００２２】
請求項１８記載の発明は、請求項１７記載の発明において、携帯端末装置は、ＴＶ番組の受信が再び可能となった場合、受信が再開した時間を記憶し、かつ、再開した時間と一時停止した時間とを基に中断時間を算出して記憶した後、録画処理を再開することを特徴とする。
【００２３】
請求項１９記載の発明は、請求項１４から１８のいずれか１項に記載の発明において、携帯端末装置は、所定のＴＶ番組が一定時間視聴された場合、番組データを録画装置へ送信することを特徴とする。
【００２４】
請求項２０記載の発明は、請求項１９記載の発明において、携帯端末装置は、所定のＴＶ番組が一定時間視聴された場合、携帯端末装置での録画処理を自動的に開始することを特徴とする。
【００２５】
請求項２１記載の発明は、請求項１３から２０のいずれか１項に記載の発明において、携帯端末装置と録画装置との通信を管理するサーバ装置を用いることを特徴とする。
【００２６】
請求項２２記載の発明は、ＴＶ番組を受信可能な携帯端末装置と、携帯端末装置と通信を行う録画装置と、を用いて録画データの補完を行うためのプログラムであって、携帯端末装置及び録画装置に、携帯端末装置の録画処理と録画装置の録画処理とを連動させる処理と、携帯端末装置の録画データと、録画装置の録画データとを結合させる処理と、を実行させる。
【００２７】
請求項２３記載の発明は、請求項２２記載の発明において、携帯端末装置に、携帯端末装置にて所定のＴＶ番組の録画処理が開始された場合、ＴＶ番組についての詳細を示す番組データを記憶する処理と、番組データを録画装置へ送信する処理と、を実行させ、録画装置に、携帯端末装置から番組データを受信する処理と、番組データに基づいた録画処理と、を実行させる。
【００２８】
請求項２４記載の発明は、請求項２３記載の発明において、携帯端末装置に、携帯端末装置の録画処理中にＴＶ番組の受信が不可能になった場合、ＴＶ番組の受信が不可能になった場合の詳細を示す中断データを記憶する処理を実行させる。
【００２９】
請求項２５記載の発明は、請求項２４記載の発明において、録画装置に、携帯端末装置から受信した番組データ及び中断データに基づいて、録画装置の録画データの中から携帯端末装置で録画できなかった部分に当する映像データを切り出して携帯端末装置へ転送する処理と、携帯端末装置に、録画装置から転送された映像データを用いて、携帯端末装置の録画データを補完する処理と、を実行させる。
【００３０】
請求項２６記載の発明は、請求項２２から２５のいずれか１項に記載の発明において、携帯端末装置に、携帯端末装置の録画処理中にＴＶ番組の受信が不可能になった場合、携帯端末装置の録画処理を一時停止する処理を実行させる。
【００３１】
請求項２７記載の発明は、請求項２６記載の発明において、携帯端末装置に、ＴＶ番組の受信が再び可能となった場合、受信が再開した時間を記憶する処理と、再開した時間と一時停止した時間とを基に中断時間を算出して記憶する処理と、録画処理を再開する処理と、を実行させる。
【００３２】
請求項２８記載の発明は、請求項２３から２７のいずれか１項に記載の発明において、携帯端末装置に、所定のＴＶ番組が一定時間視聴された場合、番組データを録画装置へ送信する処理を実行させる。
【発明の効果】
【００３３】
本発明によれば、携帯端末装置で視聴／録画できなかった部分を補完し、一本の番組にして携帯端末内に保持することが可能となる。
【発明を実施するための最良の形態】
【００３４】
以下、本発明を実施するための最良の形態について添付図面を参照して詳細に説明する。
【００３５】
本発明は、ユーザがＴＶ番組受信可能な携帯端末にてＴＶ番組を視聴／録画すると、連動して自動的に家庭内の録画機器が録画を行う。そして、放送電波が届かない状態などで携帯端末でＴＶ番組の視聴／録画ができなかった場合、その視聴／録画できなかった部分のタイムテーブル情報を携帯端末内に保持する。家庭内の録画機器は、携帯端末に保持したタイムテーブル情報を基に、録画データの中から携帯端末で視聴／録画できなかった部分に該当する映像データを切り出して携帯端末へ転送し、携帯端末にて結合することにより補完し、一本の番組にして携帯端末内に保持させる。
【実施例１】
【００３６】
本発明の実施例である録画データ補完システムの構成を図１に示す。図１に示すように、録画データ補完システムは、ＴＶ番組受信チューナー付携帯端末装置１０、ＴＶ番組配信局２０、通信網３０、サーバ装置４０、録画装置５０を有する。なお、携帯端末装置１０、サーバ装置４０、録画装置５０について、以下に説明する各動作はプログラム制御により行われる。
【００３７】
携帯端末装置１０は、ＴＶ番組受信チューナーを有する移動体通信端末装置であり、ＴＶ番組受信チューナーでＴＶ番組を受信中に受信できなかった部分の時間帯などを示すタイムテーブル情報を記憶しておくタイムテーブル記憶装置１１を搭載している。一方、録画装置５０は、タイムテーブル情報を携帯端末装置１０から受信し、そのタイムテーブル情報を基に、録画装置５０で録画した録画データのうち、該当する部分の映像データを携帯端末装置１０へ転送するデータ抽出装置５１を搭載している。
【００３８】
タイムテーブル記憶装置１１に記憶されるタイムテーブル情報を図２、図３に示す。本実施例のタイムテーブル情報とは、図２に示す番組データ１１ａと、図３に示す中断データ１１ｂと、を示す。番組データ１１ａは、ＴＶ番組についての詳細を示すデータであり、図２に示すように、「番組コード」、「番組タイトル」、「チャンネル」、「放送日時」をそれぞれ対応付けたデータである。中断データ１１ｂは、ＴＶ番組が受信不可能となった時間帯の詳細を示すデータであり、図３に示すように、「ＩＤ」、「番組コード」、「中断時間」、「一時停止時間」、「再開時間」をそれぞれ対応付けたデータである。携帯端末装置１０は、放送障害が起こり、携帯端末装置１０にてＴＶ受信できなくなった場合、中断データ１１ｂをタイムテーブル記憶装置１１に保存する。
【００３９】
まず、ユーザは、ＴＶ番組受信チューナー付携帯端末装置１０を使用し、ＴＶ番組配信局２０からＴＶ番組を受信する。ＴＶ番組の受信に成功後、携帯端末装置１０にてＴＶ番組の録画を開始すると、携帯端末装置１０は、録画を開始したＴＶ番組を示す番組データ１１ａをタイムテーブル記憶装置１１に記憶するとともに、その番組データ１１ａを、通信網３０を介してサーバ装置４０へ送信する。
【００４０】
録画装置５０は、携帯端末装置１０から番組データ１１ａを受信すると、その番組データ１１ａに基づいて、携帯端末装置１０と連動して自動的にＴＶ番組の録画を開始する。
【００４１】
ＴＶ番組配信局２０からの放送電波の受信状態が悪く、携帯端末装置１０にて視聴／録画できない状態になった場合、携帯端末装置１０内のタイムテーブル記憶装置１１は、録画できなかった部分の時間帯等を示す中断データ１１ｂを記憶する。記憶された中断データ１１ｂは、後に、録画装置５０へ送信される。
【００４２】
録画装置５０のデータ抽出装置５１は、携帯端末装置１０から受信した中断データ１１ｂに基づいて、携帯端末装置１０にて録画できなかった部分の映像データをピックアップし、携帯端末装置１０に転送する。
【００４３】
携帯端末装置１０は、録画装置５０から転送された映像データと、携帯端末装置内にある不完全な番組の録画データとを結合し、一本の番組として携帯端末装置１０に保存する。
【００４４】
以上のように、本実施例の録画データ補完システムは、タイムテーブル記憶装置１１に記憶させたタイムテーブル情報を利用して、ユーザが携帯端末装置１０で視聴／録画できなかった部分の映像を録画装置５０から携帯端末装置１０に転送させ、携帯端末装置にて一本の番組にまとめることができる。よって、携帯端末にて録画が中断した場合でも、ユーザは、その番組を完全な形で視聴することが可能となる。
【００４５】
以下、本実施例の録画データ補完システムの各動作について、図４及び図５を参照して詳細に説明する。なお、以下に説明する、携帯端末装置１０、サーバ装置４０、及び録画装置５０の各動作はプログラム制御により行われる。
【００４６】
〈受信中断時〉
ＴＶ番組の受信中断時の動作について、図４を用いて説明する。
ＴＶ番組受信チューナー付携帯端末装置１０は、ＴＶ番組配信局２０からＴＶ番組を受信する（ステップＡ１）。携帯端末装置１０がＴＶ番組を受信成功後、ユーザによりそのＴＶ番組を録画する操作が行われると（ステップＡ２）、携帯端末装置１０は、番組データ１１ａをタイムテーブル記憶装置１１に記憶し、かつ、通信網３０を通してサーバ装置４０へ番組データ１１ａを送信し、サーバ装置４０は、受信した番組データ１１ａを録画装置５０へ通知する（ステップＡ３）。
【００４７】
そして、家庭内等に設置される録画装置５０は、受信した番組データ１１ａに基づいて、携帯端末装置１０で録画中のＴＶ番組の録画処理を開始する（ステップＡ４）。また、録画装置５０は、録画処理を開始したことを携帯端末装置１０に通知する（ステップＡ５）。
【００４８】
放送電波の受信が悪く、一定の閾値より受信放送電波が届かない状態になったり、電池切れの状態になったり、又は、着信があったりして、録画中のＴＶ番組の受信が中断した場合（ステップＡ６）、携帯端末装置１０のタイムテーブル記憶装置１１は、中断データ１１ｂの「ＩＤ」、「番組コード」、「一時停止時間」を記憶する（ステップＡ７）。そして、端末内のメモリを節約させるため、携帯端末装置１０は端末内の録画処理を一時停止する（ステップＡ８）。
【００４９】
放送電波の受信が回復し、番組受信が再開すると（ステップＡ９）、携帯端末装置１０は、タイムテーブル記憶装置１１に中断データ１１ｂの「再開時間」を保存し、「再開時間」と「一時停止時間」とを基に中断データ１１ｂの「中断時間」を算出し、タイムテーブル記憶装置１１に記憶する（ステップＡ１０）。その後、携帯端末装置１０の録画を再開する（ステップＡ１１）。
【００５０】
ＴＶ番組が終了した場合等、ユーザによって録画の停止操作が行われると（ステップＡ１２）、携帯端末装置１０は、録画装置５０へ録画停止情報を送信し（ステップＡ１３）、録画装置５０は録画処理の停止処理を実施する（ステップＡ１４）。その後、録画装置５０は録画処理の停止が行われたことを示す録画停止完了情報を携帯端末装置１０に送信する（ステップＡ１５）。
【００５１】
〈録画データの補完〉
不完全な録画データを一本の完全な番組にする、録画データの補完方法について図５を用いて説明する。
携帯端末装置１０が、中断データ１１ｂと、一部が欠損した録画データとを保持しており（ステップＢ１）、また、録画装置５０が、番組データ１１ａと、一本の番組としての完全な録画データを保持している場合（ステップＢ２）、携帯端末装置１０のタイムテーブル記憶装置１１は、ケーブル接続、赤外線通信、ＵＳＢ付充電器などのクレードルを使用し、中断データ１１ｂを録画装置５０のデータ抽出装置５１へ送信する（ステップＢ３）。
【００５２】
録画装置５０のデータ抽出装置５１は、中断データ１１ｂの「番組コード」と、番組データ１１ａの「番組コード」とを基に、該当する録画データをピックアップし、ピックアップした録画データの中から中断データ１１ｂの「中断時間」に該当する部分（差分部分）を切り出しする（ステップＢ４）。データ抽出装置５１は、切り出した録画データを携帯端末装置１０へ送信する（ステップＢ５）。
【００５３】
携帯端末装置１０は、録画装置５０から受信した録画データと、一部が欠損した録画データとの結合処理を実施する（ステップＢ６）。そして、携帯端末装置１０内にて、完全な一本の番組としての録画データを保存する（ステップＢ７）。
【実施例２】
【００５４】
本発明の実施例２について説明する。本実施例の構成は上記実施例１と同様である。本実施例では、上記実施例１の動作に加え、ユーザが、録画操作を行わず携帯端末装置でＴＶ番組を一定時間視聴した場合も、上記実施例１と同様の動作にて中断データをタイムテーブル記憶装置１１に格納する。よって、視聴が中断された部分を家庭内の録画装置で視聴可能となる。
【００５５】
本実施例の動作について、図６を用いて説明する。
ＴＶ番組受信チューナー付携帯端末装置１０は、ＴＶ番組配信局２０からＴＶ番組を受信する（ステップＣ１）。携帯端末装置１０にてＴＶ番組の受信成功後、ユーザが番組を一定時間視聴すると（ステップＣ２）、携帯端末装置１０は、通信網３０を通してサーバ装置４０へ番組データ１１ａを送信し、サーバ装置４０は、受信した番組データ１１ａを録画装置５０へ送信する（ステップＣ３）。
【００５６】
そして、録画装置５０は、受信した番組データ１１ａを基に録画処理を実施する（ステップＣ４）。録画装置５０は、録画処理を開始したことを携帯端末装置１０に通知する（ステップＣ５）。
【００５７】
放送電波の受信が悪く、一定の閾値より放送受信電波が届かない状態になったり、電池切れの状態になったり、又は、着信があったりして、番組受信が中断した場合（ステップＣ６）、携帯端末装置１０のタイムテーブル記憶装置１１は、中断データ１１ｂの「ＩＤ」、「番組コード」、「一時停止時間」を記憶する（ステップＣ７）。
【００５８】
放送電波の受信が回復し、番組受信が再開した場合（ステップＣ８）、携帯端末装置１０は、タイムテーブル記憶装置１１に中断データ１１ｂの「再開時間」を保存し、また、「再開時間」と「一時停止時間」とに基づいて中断データ１１ｂの「中断時間」を算出し、タイムテーブル記憶装置１１に記憶させる（ステップＣ９）。
【００５９】
番組が終了し、ユーザが端末内の録画停止操作を行うと（ステップＣ１０）、携帯端末装置１０は、録画装置５０へ録画停止情報を送信し（ステップＣ１１）、録画装置５０は録画停止処理を実施する（ステップＣ１２）。その後、録画装置５０は録画停止完了情報を携帯端末装置１０に送信する（ステップＣ１３）。
【００６０】
なお、上記ステップＣ２において、ユーザが番組を一定時間視聴した場合、ユーザによる録画操作によらず、携帯端末装置１０が、携帯端末装置での録画処理を自動的に開始するようにしてもよい。
【００６１】
以上、本発明の実施例によれば、以下の効果を奏する。
第１の効果は、携帯端末で録画中に録画できなかった部分について、家庭内の録画機器からデータを取り出し、結合させるため、携帯端末内に一本の番組として保存ができる。よって、例えば、ユーザが帰宅し、家でＴＶを見る時間がない場合でも、通勤、通学などの移動中に携帯端末内にて保存した番組を視聴することが可能である。
第２の効果は、ユーザが携帯端末で実施する録画処理と、家庭内の録画機器で実施する録画処理とを連動させるので、ユーザが録画し損なうことがない。
第３の効果は、携帯端末で録画中に録画できなかった部分のみについて、家庭内の録画機器からデータを取り出し、結合させるため、携帯端末への録画データを転送する時間を短縮させることができる。
第４の効果は、携帯端末装置にて録画処理を実施しなくても、番組を一定時間視聴することにより、携帯端末内や家庭内の録画機器にて自動的に録画を始めるので、ユーザによる録画操作を必要としない。
第５の効果は、携帯端末装置が番組録画中に番組受信できなくなった場合、携帯端末の録画を自動的に一旦停止させることにより端末内メモリの節約が可能となる。
第６の効果は、携帯端末で視聴／録画できなかった映像部分の時間帯等を示すタイムテーブル情報を携帯端末内に保持し、このタイムテーブル情報を家庭内の録画機器へ送信することにより、家庭内のＴＶにて、視聴／録画できなかった映像部分から視聴することができる。
【００６２】
以上、本発明の実施例について説明したが、上記実施例に限定されるものではなく、その要旨を逸脱しない範囲において種々の変形が可能である。
【図面の簡単な説明】
【００６３】
【図１】本発明の実施例１に係る全体構成を示すブロック図である。
【図２】本発明の実施例１に係る番組データを示す図である。
【図３】本発明の実施例１に係る番組データを示す図である。
【図４】本発明の実施例１に係る動作を示すシーケンス図である。
【図５】本発明の実施例１に係る動作を示すシーケンス図である。
【図６】本発明の実施例２に係る動作を示すシーケンス図である。
【符号の説明】
【００６４】
１０    携帯端末装置
１１    タイムテーブル記憶装置
２０    ＴＶ番組配信局
３０    通信網
４０    サーバ装置
５０    録画装置
５１    データ抽出装置
【図１】
2006352253.tif 000003
【図２】
2006352253.tif 000004
【図３】
2006352253.tif 000005
【図４】
2006352253.tif 000006
【図５】
2006352253.tif 000007
【図６】
2006352253.tif 000008